【手続補正書】
【提出日】平成26年8月6日(2014.8.6)
【手続補正１】
【補正対象書類名】明細書
【補正対象項目名】発明の名称
【補正方法】変更
【補正の内容】
【発明の名称】原稿読取装置、原稿読取装置の制御方法、プログラム、及び記憶媒体
【手続補正２】
【補正対象書類名】明細書
【補正対象項目名】０００１
【補正方法】変更
【補正の内容】
【０００１】
本発明は、原稿を読み取る原稿読取装置、原稿読取装置の制御方法、プログラム、及び記憶媒体に関する。
【手続補正３】
【補正対象書類名】明細書
【補正対象項目名】０００９
【補正方法】変更
【補正の内容】
【０００９】
本発明に係る原稿読取装置は、原稿を搬送する原稿搬送手段と、前記原稿搬送手段によって搬送された原稿を読み取る読取手段と、シートを収納するシート収納部に収納されているシートのサイズに基づく読み取りサイズを決定する第１の決定手段と、前記読取手段に前記第１の決定手段で決定されたサイズで原稿を読み取らせる制御手段と、前記原稿搬送手段によって搬送された原稿のサイズに基づく読み取りサイズを決定する第２の決定手段と、前記第２の決定手段で決定されたサイズと前記第１の決定手段で決定されたサイズとが異なる場合にユーザに通知する通知手段と、を有することを特徴とする。
また、本発明に係る原稿読取装置は、原稿を搬送する原稿搬送手段と、前記原稿搬送手段によって搬送された原稿を読み取る読取手段と、シートを収納するシート収納部に収納されているシートのサイズに基づいて原稿を読み取らせる制御手段と、前記シートのサイズと前記原稿搬送手段によって搬送された原稿のサイズとが異なる場合にユーザに通知する通知手段と、を有することを特徴とする。
また、本発明に係る原稿読取装置は、原稿を搬送する原稿搬送手段と、前記原稿搬送手段によって搬送された原稿を読み取る読取手段と、シートを収納するシート収納部に収納されているシートのサイズに基づく読み取りサイズを決定する第１の決定手段と、前記読取手段に前記第１の決定手段で決定されたサイズで原稿を読み取らせる制御手段と、前記原稿搬送手段によって搬送された原稿のサイズに基づく読み取りサイズを決定する第２の決定手段と、を有し、前記制御手段は、前記第２の決定手段で決定されたサイズと前記第１の決定手段で決定されたサイズとが異なる場合、前記読取手段に前記第１の決定手段で決定されたサイズで原稿を読み取らせた後に前記読取手段に前記第２の決定手段で決定されたサイズで前記原稿を読み取らせることを特徴とする。
【手続補正４】
【補正対象書類名】特許請求の範囲
【補正対象項目名】全文
【補正方法】変更
【補正の内容】
【特許請求の範囲】
【請求項１】
原稿を搬送する原稿搬送手段と、
前記原稿搬送手段によって搬送された原稿を読み取る読取手段と、
シートを収納するシート収納部に収納されているシートのサイズに基づく読み取りサイズを決定する第１の決定手段と、
前記読取手段に前記第１の決定手段で決定されたサイズで原稿を読み取らせる制御手段と、
前記原稿搬送手段によって搬送された原稿のサイズに基づく読み取りサイズを決定する第２の決定手段と、
前記第２の決定手段で決定されたサイズと前記第１の決定手段で決定されたサイズとが異なる場合にユーザに通知する通知手段と、を有する
ことを特徴とする原稿読取装置。
【請求項２】
前記通知手段によってユーザに通知された後、前記原稿が原稿給送トレイにセットされた場合に、前記制御手段は、前記読取手段に前記第２の決定手段で決定されたサイズで前記原稿を読み取らせる
ことを特徴とする請求項１に記載の原稿読取装置。
【請求項３】
前記第１の決定手段で決定されたサイズと前記第２の決定手段で決定されたサイズとが一致するかを判定する判定手段を更に有し、
前記通知手段は、前記第１の決定手段で決定されたサイズと前記第２の決定手段で決定されたサイズとが一致すると前記判定手段が判定しなかった場合に、前記原稿をセットするようユーザに促す
ことを特徴とする請求項１又は２に記載の原稿読取装置。
【請求項４】
原稿のサイズをユーザから受け付ける受付手段を更に有し、
前記受付手段が原稿のサイズを受け付けた場合に、前記読取手段は、前記受付手段によって受け付けたサイズに基づく読み取りサイズで原稿を読み取り、
前記受付手段が原稿のサイズを受け付けなかった場合に、前記第１の決定手段は、前記シート収納部に収納されているシートのサイズに基づく読み取りサイズを決定し、前記制御手段は、前記読取手段に前記第１の決定手段で決定されたサイズで原稿を読み取らせる
ことを特徴とする請求項１乃至３のいずれか１項に記載の原稿読取装置。
【請求項５】
前記第１の決定手段は、前記原稿搬送手段によって原稿を搬送する前に前記シート収納部に収納されているシートのサイズに基づく読み取りサイズを決定する
ことを特徴とする請求項１乃至４のいずれか１項に記載の原稿読取装置。
【請求項６】
前記原稿搬送手段によって搬送された原稿の副走査方向の長さを検知する検知手段を更に有し、
前記第２の決定手段は、前記検知手段によって検知された前記副走査方向の長さに基づいて前記読み取りサイズを決定する
ことを特徴とする請求項１乃至５のいずれか１項に記載の原稿読取装置。
【請求項７】
前記通知手段は、前記原稿を原稿給送トレイにセットするようユーザに通知する
ことを特徴とする請求項１乃至６のいずれか１項に記載の原稿読取装置。
【請求項８】
前記シート収納部を複数有し、
前記第１の決定手段は、前記複数のシート収納部のうち印刷に使用されるシートの搬送元として指示されているシート収納部に収納されているシートのサイズに基づく読み取りサイズを決定する
ことを特徴とする請求項１乃至７のいずれか１項に記載の原稿読取装置。
【請求項９】
前記シート収納部を複数有し、
前記第１の決定手段は、前記複数のシート収納部のうち最も多くのシート収納部に収納されているシートのサイズに基づく読み取りサイズを決定する
ことを特徴とする請求項１乃至７のいずれか１項に記載の原稿読取装置。
【請求項１０】
前記シート収納部を複数有し、
前記第１の決定手段は、前記複数のシート収納部のうちシートの残量が最も多いシート収納部に収納されているシートのサイズに基づく読み取りサイズを決定する
ことを特徴とする請求項１乃至７のいずれか１項に記載の原稿読取装置。
【請求項１１】
前記シート収納部を複数有し、
前記第１の決定手段は、前記複数のシート収納部のうちシート収納部に収納されているシートの残量の合計が最も多いシートのサイズに基づく読み取りサイズを決定する
ことを特徴とする請求項１乃至７のいずれか１項に記載の原稿読取装置。
【請求項１２】
前記第１の決定手段は、印刷を行うジョブを実行する場合には、前記シート収納部に収納されているシートのサイズに基づく読み取りサイズを決定し、印刷を行わないジョブを実行する場合には、前記読取手段による読み取り実績に基づいて読み取りサイズを決定する
ことを特徴とする請求項１乃至１１のいずれか１項に記載の原稿読取装置。
【請求項１３】
前記第２の決定手段で決定したサイズを前記読取手段による読み取り実績として記憶する記憶手段を更に有し、
前記第１の決定手段は、前記記憶手段に最後に記憶されたサイズを、前記読み取りサイズとして決定する
ことを特徴とする請求項１２に記載の原稿読取装置。
【請求項１４】
前記第２の決定手段で決定したサイズを前記読取手段による読み取り実績として蓄積する記憶手段を更に有し、
前記第１の決定手段は、前記記憶手段に最も多く蓄積されたサイズを、前記読み取りサイズとして決定する
ことを特徴とする請求項１２に記載の原稿読取装置。
【請求項１５】
原稿を搬送する原稿搬送手段と、
前記原稿搬送手段によって搬送された原稿を読み取る読取手段と、
シートを収納するシート収納部に収納されているシートのサイズに基づいて原稿を読み取らせる制御手段と、
前記シートのサイズと前記原稿搬送手段によって搬送された原稿のサイズとが異なる場合にユーザに通知する通知手段と、を有する
ことを特徴とする原稿読取装置。
【請求項１６】
原稿を搬送する原稿搬送手段と、
前記原稿搬送手段によって搬送された原稿を読み取る読取手段と、
シートを収納するシート収納部に収納されているシートのサイズに基づく読み取りサイズを決定する第１の決定手段と、
前記読取手段に前記第１の決定手段で決定されたサイズで原稿を読み取らせる制御手段と、
前記原稿搬送手段によって搬送された原稿のサイズに基づく読み取りサイズを決定する第２の決定手段と、
を有し、
前記制御手段は、前記第２の決定手段で決定されたサイズと前記第１の決定手段で決定されたサイズとが異なる場合、前記読取手段に前記第１の決定手段で決定されたサイズで原稿を読み取らせた後に前記読取手段に前記第２の決定手段で決定されたサイズで前記原稿を読み取らせる
ことを特徴とする原稿読取装置。
【請求項１７】
原稿を搬送する原稿搬送手段と、前記原稿搬送手段によって搬送された原稿を読み取る読取手段と、を有する原稿読取装置の制御方法であって、
シートを収納するシート収納部に収納されているシートのサイズに基づく読み取りサイズを決定する第１の決定工程と、
前記読取手段に前記第１の決定工程で決定されたサイズで原稿を読み取らせる制御工程と、
前記原稿搬送手段によって搬送された原稿のサイズに基づく読み取りサイズを決定する第２の決定工程と、
前記第２の決定工程で決定されたサイズと前記第１の決定工程で決定されたサイズとが異なる場合にユーザに通知する通知工程と、
を有することを特徴とする原稿読取装置の制御方法。
【請求項１８】
原稿を搬送する原稿搬送手段と、前記原稿搬送手段によって搬送された原稿を読み取る読取手段と、を有する原稿読取装置の制御方法であって、
シートを収納するシート収納部に収納されているシートのサイズに基づいて原稿を読み取らせる制御工程と、
前記シートのサイズと前記原稿搬送手段によって搬送された原稿のサイズとが異なる場合にユーザに通知する通知工程と、を有する
ことを特徴とする原稿読取装置の制御方法。
【請求項１９】
原稿を搬送する原稿搬送手段と、前記原稿搬送手段によって搬送された原稿を読み取る読取手段と、を有する原稿読取装置の制御方法であって、
シートを収納するシート収納部に収納されているシートのサイズに基づく読み取りサイズを決定する第１の決定工程と、
前記読取手段に前記第１の決定工程で決定されたサイズで原稿を読み取らせる第１の読取制御工程と、
前記原稿搬送手段によって搬送された原稿のサイズに基づく読み取りサイズを決定する第２の決定工程と、
前記第２の決定工程で決定されたサイズと前記第１の決定工程で決定されたサイズとが異なる場合、前記読取手段によって前記第１の決定工程で決定されたサイズで原稿が読み取られた後に前記読取手段に前記第２の決定工程で決定されたサイズで前記原稿を読み取らせる第２の読取制御工程と、
を有することを特徴とする原稿読取装置の制御方法。
【請求項２０】
請求項１７乃至１９のいずれか１項に記載の制御方法を、コンピュータに実行させるためのプログラム。
【請求項２１】
請求項２０に記載のプログラムを格納した、コンピュータで読み取り可能な記憶媒体。